(57)【要約】【課題】技術面、安全面、商業的コスト面等での課題を解消し、香りの維持や、化粧品として用いた際の保湿性等に優れ、且つ天然由来の成分により構成される新規な香料組成物並びにその製造方法並びに化粧品の開発を技術課題とした。【解決手段】水を主成分とする基材１に対し、香料及びセルロースナノファイバー（ＣＮＦ）５を添加したことを特徴として成り、セルロースナノファイバー（ＣＮＦ）５が、香料に含まれる香気成分２を包接または担持するような作用をして、香気成分の緩放散性（徐放性）と保湿性とを発現させることができる。【選択図】図２
2019011442.tif 000002
【特許請求の範囲】
【請求項１】
水を主成分とする基材に対し、香料及びセルロースナノファイバー（ＣＮＦ）を添加したことを特徴とする香料組成物。
【請求項２】
前記添加されるセルロースナノファイバー（ＣＮＦ）は、幅３〜１００ｎｍであり、且つ添加割合が基材に対して固形分量０．０１〜１重量％の範囲であることを特徴とする請求項１記載の香料組成物。
【請求項３】
前記基材には、グリセリン、ＰＥＧ−３０水添ヒマシ油のいずれか一方又は双方を添加したことを特徴とする請求項１または２記載の香料組成物。
【請求項４】
前記グリセリンの添加量は基材に対して１〜１０重量％であり、またＰＥＧ−３０水添ヒマシ油の添加量は基材に対して０．１〜５重量％であることを特徴とする請求項１、２または３記載の香料組成物。
【請求項５】
前記香料は、１, ３−ジメトキシ−５−メチルベンゼンを含むバラ由来香気成分であることを特徴とする請求項１、２、３または４記載の香料組成物。
【請求項６】
前記セルロースナノファイバー（ＣＮＦ）として、化学的解繊ＣＮＦまたは機械的解繊ＣＮＦのいずれか一方または双方を用いたことを特徴とする請求項１、２、３、４または５記載の香料組成物。
【請求項７】
水を主成分とする基材に対し、幅３〜１００ｎｍのセルロースナノファイバー（ＣＮＦ）を固形分量で０．０１〜１重量％添加し、ここに香料を０・００００１〜３重量％添加することを特徴とする香料組成物の製造方法。
【請求項８】
前記請求項１、２、３、４、５または６記載の香料組成物を含有することを特徴とする化粧品。
【請求項９】
前記請求項１、２、３、４、５または６記載の香料組成物を含有し、液状またはペースト状に形成したことを特徴とする化粧品。
【発明の詳細な説明】
【技術分野】
【０００１】
本発明は香りの維持や、化粧品として用いた際の保湿性等に優れ、且つ天然由来の成分により構成される香料組成物並びにその製造方法並びに化粧品に係るものである。
【背景技術】
【０００２】
化粧品あるいは室内環境等を良好にするための芳香剤等として、種々の製品が市場に提供されている。これら製品の開発にあたっては、香りの持続性をいかに高めるかということが課題の一つとして挙げられている。即ち香りそのものが評価されたとしても、実用面からはそれが長期に亘り充分に維持されること、換言すれば香り成分の緩放散性乃至は徐放性を発現できることが不可欠である。
このため従来から、香り成分を何らかの素材に含有乃至は担持させ、前記課題を解消しようとする試みが成されている。しかしながら、技術面、安全面、商業的コスト面等で課題をかかえており、前記課題は完全には解決されていない。
【０００３】
具体的には、まず多孔質材料と徐放性成分とを含有した原料を、超臨界流体または亜臨界流体と接触させることによって、多孔質材のポーラス内に徐放性成分を担持させるものがある（例えば特許文献１参照）。しかしながらこの手法では、超臨界流体または亜臨界流体を生成するための複雑且つ高価な設備が必要となる。
【０００４】
また香気成分を特殊な保持材に保持させることにより、香り立ち、残香性を高めるものもあるが（例えば特許文献２参照）、保持材としては化学合成された素材が用いられており、天然由来のものではない。
【０００５】
更にまた水性ゲルに香料成分を含ませることにより、塗布直後の香り立ちに優れ、且つ香り持続性並びに経時安定性に優れた性状を発現するものもあるが（例えば特許文献３参照）、複数の添加剤を必要とするため処方が複雑であり、且つ高コストとなってしまう。
【先行技術文献】
【特許文献】
【０００６】
【特許文献１】特開２００２−３４５９４０公報
【特許文献２】特開２００２−８８３９１公報
【特許文献３】特開２０１０−２２９０４０公報
【発明の概要】
【発明が解決しようとする課題】
【０００７】
本発明はこのような従来手法の問題点を考慮してなされたものであって、技術面、安全面、商業的コスト面等での課題を解消し、香りの維持や、化粧品として用いた際の保湿性等に優れ、且つ天然由来の成分により構成される新規な香料組成物並びにその製造方法並びに化粧品の開発を技術課題としたものである。
【課題を解決するための手段】
【０００８】
すなわち請求項１記載の香料組成物は、水を主成分とする基材に対し、香料及びセルロースナノファイバー（ＣＮＦ）を添加したことを特徴として成るものである。
【０００９】
また請求項２記載の香料組成物は、前記要件に加え、前記添加されるセルロースナノファイバー（ＣＮＦ）は、幅３〜１００ｎｍであり、且つ添加割合が基材に対して固形分量０．０１〜１重量％の範囲であることを特徴として成るものである。
【００１０】
更にまた請求項３記載の香料組成物は、前記要件に加え、前記基材には、グリセリン、ＰＥＧ−３０水添ヒマシ油のいずれか一方又は双方を添加したことを特徴として成るものである。
【００１１】
更にまた請求項４記載の香料組成物は、前記要件に加え、前記グリセリンの添加量は基材に対して１〜１０重量％であり、またＰＥＧ−３０水添ヒマシ油の添加量は基材に対して０．１〜５重量％であることを特徴として成るものである。
【００１２】
更にまた請求項５記載の香料組成物は、前記要件に加え、前記香料は、１, ３−ジメトキシ−５−メチルベンゼンを含むバラ由来香気成分であることを特徴として成るものである。
【００１３】
更にまた請求項６記載の香料組成物は、前記要件に加え、前記セルロースナノファイバー（ＣＮＦ）として、化学的解繊ＣＮＦまたは機械的解繊ＣＮＦのいずれか一方または双方を用いたことを特徴として成るものである。
【００１４】
また請求項７記載の香料組成物の製造方法は、水を主成分とする基材に対し、幅３〜１００ｎｍのセルロースナノファイバー（ＣＮＦ）を固形分量で０．０１〜１重量％添加し、ここに香料を０・００００１〜３重量％添加することを特徴として成るものである。
【００１５】
また請求項８記載の化粧品は、前記請求項１、２、３、４、５または６記載の香料組成物を含有することを特徴
【００１６】
また請求項９記載の化粧品は、前記請求項１、２、３、４、５または６記載の香料組成物を含有し、液状またはペースト状に形成したことを特徴として成るものである。
そしてこれら各請求項記載の発明の構成を手段として前記課題の解決が図られる。
【発明の効果】
【００１７】
まず請求項１記載の発明によれば、水を主成分とする基材に対し、香料及びセルロースナノファイバー（ＣＮＦ）が添加され、セルロースナノファイバー（ＣＮＦ）が、香料に含まれる香気成分を包接または担持するような作用をして、香気成分の緩放散性（徐放性）と保湿性とを発現させることができる。
【００１８】
また請求項２記載の発明によれば、セルロースナノファイバー（ＣＮＦ）の形状は、幅３〜１００ｎｍであり、且つ添加割合が基材に対して固形分量０．０１〜１重量％の範囲であるため、より好ましい香料組成物が得られる。
【００１９】
また請求項３記載の発明によれば、グリセリン、ＰＥＧ−３０水添ヒマシ油のいずれか一方又は双方を添加することにより、香気成分を包含するミセルが構成され、このミセルがセルロースナノファイバー（ＣＮＦ）の形成する三次元ネットワークに包接されることにより、あるいはこのミセルがセルロースナノファイバー（ＣＮＦ）に担持されることにより、緩放散性（徐放性）をより高めることができる。
【００２０】
また請求項４記載の発明によれば、グリセリンの添加量は基材に対して１〜１０重量％であり、またＰＥＧ−３０水添ヒマシ油の添加量は基材に対して０．１〜５重量％であるため、より好ましい香料組成物が得られる。
【００２１】
また請求項５記載の発明によれば、基材に添加される香料が、１, ３−ジメトキシ−５−メチルベンゼンを含むバラ由来香気成分であるため、自然由来の成分によって、鎮静作用に優れた香料組成物を得ることができる。
【００２２】
また請求項６記載の発明によれば、基材に添加されるセルロースナノファイバー（ＣＮＦ）の性状を選択することにより、香気成分の緩放散性（徐放性）を所望のものとすることができる。
【００２３】
また請求項７記載の発明によれば、水を主成分とする基材に対し、幅３〜１００ｎｍのセルロースナノファイバー（ＣＮＦ）を固形分量で０．０１〜１重量％添加し、ここに香料を０．００００１〜３重量％添加することにより、より好ましい香料組成物が得られる。
また技術面、安全面、商業的コスト面等での課題を解消した香料組成物を製造することができる
【００２４】
また請求項８記載の発明によれば、香料組成物を化粧品として応用するにあたり香気成分の長時間での維持と、皮膚に塗布した際の保湿効果が充分に得られる。
【００２５】
また請求項９記載の発明によれば、香料組成物を含有した化粧品を液状またはペースト状に形成することにより、化粧品としての使い勝手に優れたものとすることができる。
【図面の簡単な説明】
【００２６】
【図１】ミセルが構成された本発明の香料組成物における香気成分とセルロースナノファイバー（ＣＮＦ）との様子を示す概念図である。
【図２】ミセルが構成されていない本発明の香料組成物における香気成分とセルロースナノファイバー（ＣＮＦ）との様子を示す概念図である。
【図３】香りの徐放性を示すグラフである。
【発明を実施するための形態】
【００２７】
以下本発明を実施するための最良の形態について説明するが、この形態に対して、本発明の技術的思想の範囲内において適宜変更を加えることも可能である。
本発明の香料組成物は、水を主成分とした基材に対して、香料及びセルロースナノファイバー（ＣＮＦ）が添加されたものある。なお水に代えて予め処方された化粧水を基材として用いてもよい。
【００２８】
前記香料としては、既に公知の種々の成分が利用できるものであって、目的に応じて鎮静作用を発現するもの（ローズ、カモミール等）、あるいは覚醒性を発現するもの（ミント、ジャスミン等）等、適宜のものが利用し得る。
なお後述する実施例で用いる香料は、１, ３−ジメトキシ−５−メチルベンゼンを含むバラ由来香気成分である。これは例えばハイブリッド・ティー系のバラ花弁抽出由来すなわち自然由来のものである。因みにこのバラ由来の香料（以下、バラ香料と称する）は、鎮静作用等を発現させるものである。
【００２９】
また前記セルロースナノファイバー（ＣＮＦ）は、その製法に由来して、化学的解繊セルロースナノファイバー（ＣＮＦ）と機械的解繊セルロースナノファイバー（ＣＮＦ）とに分類されるが、本発明には双方ともに利用が可能である。
【００３０】
そして前記セルロースナノファイバー（ＣＮＦ）の性状は、幅３〜１００ｎｍ、好ましくは幅３〜８０ｎｍ、更に好ましくは幅３〜５０ｎｍとされる。
また前記基材に対するセルロースナノファイバー（ＣＮＦ）の添加量は、固形分量で０．０１〜１重量％、好ましくは０．０１〜０．５重量％、更に好ましくは０．０１〜０．２重量％の範囲とされる。
【００３１】
また前記基材に対して、グリセリン、ＰＥＧ−３０水添ヒマシ油のいずれか一方又は双方を添加することも行われる。なおこれらを添加することにより、図１（ａ）に示すように香料に含まれる香気成分２を包含するミセル３（分子間力による多数の分子の集合体）が構成され、ミセル３がセルロースナノファイバー（ＣＮＦ）５の形成する三次元ネットワークに包接された状態が得られる。なお図１（ｂ）に示すようにミセル３がセルロースナノファイバー（ＣＮＦ）５に担持された状態となる場合もある。
【００３２】
このため本発明の香料組成物Ｆは、セルロースナノファイバー（ＣＮＦ）５により、香気成分２の緩放散性（徐放性）を発現させるものであり、その作用原理は必ずしも明確ではないものの、上述のように繊維状のセルロースナノファイバー（ＣＮＦ）５が、香気成分２を包接または担持していることによるものと推察でき、効果検証の結果と矛盾しない。
【００３３】
なお基材１にグリセリンを添加することにより保湿性が向上し、一方、基材１にＰＥＧ−３０水添ヒマシ油を添加することにより界面活性性が向上する。
また前記セルロースナノファイバー（ＣＮＦ）５により保湿性が発現されるものであり、これもセルロースナノファイバー（ＣＮＦ）５による基材１中の水分の囲い込みが図られているものと推定されている。
【００３４】
因みに前記基材１に対して、グリセリン、ＰＥＧ−３０水添ヒマシ油のいずれか一方又は双方を添加しない場合には、香気成分２を包含するミセル３は形成されないが、図２（ａ）に示すように香気成分２がセルロースナノファイバー（ＣＮＦ）５の形成する三次元ネットワークに包接された状態、あるいは図２（ｂ）に示すように香気成分２がセルロースナノファイバー（ＣＮＦ）５に担持された状態が得られる。
【００３５】
なお前記グリセリンの添加量は基材に対して１〜１０重量％、好ましくは３〜６重量％、更に好ましくは６重量％とされる。
またＰＥＧ−３０水添ヒマシ油の添加量は基材１に対して０．１〜５重量％、好ましくは０．１〜３．５重量％、更に好ましくは０．５〜３重量％とされる。
なお前記グリセリンに代えて、ブチレングリコール、ジプロピレングリコール、１，２−ヘキサンジオール、乳酸ナトリウム、ピロリドンカルボン酸ナトリウム等を適用してもよく、また前記ＰＥＧ−３０水添ヒマシ油に代えて、ＰＥＧ−４０水添ヒマシ油、ＰＥＧ−５０水添ヒマシ油、ＰＥＧ−６０水添ヒマシ油、オレイン酸ポリグリセリル−１０等を適用してもよい。
【００３６】
そして本発明の香料組成物を製造する方法は、基材に対して、香料及びセルロースナノファイバー（ＣＮＦ）を添加するとともに、更にグリセリン、ＰＥＧ−３０水添ヒマシ油のいずれか一方又は双方を添加するした後、これらを攪拌するといった、極めてシンプルなものであり、複雑且つ高価な設備を要しない。なお攪拌にあたって、ホモジナイザーによる攪拌を行った後、自転公転式撹拌脱泡機等で再び攪拌することが好ましい。
【００３７】
また本発明の香料組成物を利用した製品としては、化粧品の他、芳香剤、エアケア剤、固形の洗剤、化粧石鹸、食品等として構成することができる。
更に製品利用形態としては目的に合うように液状、ペースト状、更には固形カプセルタイプ等が採られるもであり、特に化粧品としての利用を考慮すると、液状またはペースト状等とすることが好ましい。
また別途香料組成物の担持材として紙、織布、樹脂シートを用いるようにしてもよく、このような担持材を適用して衣類、寝具、家具を構成することもできる。
【実施例】
【００３８】
本発明の香料組成物の一例は、下記の配合で化粧基材を構成するとともに、この化粧基材に対してセルロースナノファイバー（ＣＮＦ）及びバラ香料を添加することにより調製される。なお前記セルロースナノファイバー（ＣＮＦ）として化学的解繊ＣＮＦを用いて試料Ａを調製し、一方セルロースナノファイバー（ＣＮＦ）として機械的解繊ＣＮＦを用いて試料Ｂを調製した。
具体的には、化粧基材の配合を、水９３％、グリセリン６％、ＰＥＧ−３０水添ヒマシ油１％とした。  
また化粧基材を９０％、化学的解繊ＣＮＦ２％溶液を１０％として、化学的解繊ＣＮＦの含有量が０．２重量％となる分散液を調製し、この分散液にバラ香料を０．００００５％添加して試料Ａを調整した。
また化粧基材を９０％、機械的解繊ＣＮＦ１％溶液を１０％として、機械的解繊ＣＮＦの含有量が０．１重量％となる分散液を調製し、この分散液にバラ香料を０．００００５％添加して試料Ｂを調整した。
なお香料の添加は０・００００１〜３重量％とする。
【００３９】
そして上記「化粧基材」、「試料Ａ」、「試料Ｂ」について、香気成分の徐放性をＦＬＥＣ測定により比較した（図３参照）。
図３に示すグラフにおいて、傾きの値が小さいことは香気成分が徐放していることを示しており、試料Ｂは化粧基材よりも徐放性が高く、試料Ａは試料Ｂよりも更に徐放性が高いことが確認された。
なお他の香気成分（一例としてＬialool、Ｃitronellol、Ｒose oxide ）についても同様の結果が得られている。
【００４０】
また上記「化粧基材」、「試料Ａ」、「試料Ｂ」に加え、「参考試料」（ヒアルロン酸Ｎａ添加化粧水）について、それぞれの保湿性を比較した（表１参照）。
なお機械的解繊ＣＮＦ、化学的解繊ＣＮＦ、ヒアルロン酸Ｎａにおいて添加する濃度の最適条件の検討を行った結果、機械的解繊ＣＮＦが０．１重量％、化学的解繊ＣＮＦが０．２重量％、ヒアルロン酸Ｎａが０．０８重量％において最も高い保湿効果を示したことから、各添加物には最適な添加濃度があることが分かった。そこで、上記の濃度を最適濃度とし、この最適濃度となるように「試料Ａ」、「試料Ｂ」、「参考試料」を調製し、それぞれの保湿性の比較を行った。
表１は、「化粧基材」の水分値を基準とし、「化粧基材」に対する各最適濃度での水分値差（Δ水分値）を示すものである。
保湿性の比較結果は、試料Ｂは化粧基材はもとより、参考試料よりも保湿性が大幅に高く、試料Ａは試料Ｂよりも更に保湿性が高いことが確認された。
【００４１】
【表１】
2019011442.tif 000003
【符号の説明】
【００４２】
１    基材
２    香気成分
３    ミセル
５    セルロースナノファイバー（ＣＮＦ）
Ｆ    香料組成物
【図１】
2019011442.tif 000004
【図２】
2019011442.tif 000005
【図３】
2019011442.tif 000006